(57)【要約】【課題】表示装置が撮像装置に接続される向きに応じて画像の表示方法を制御できるようにする。【解決手段】コネクタを介して撮像装置から画像を受信する受信手段と、撮像装置とのコネクタを介した接続の向きを検出する検出手段と、検出手段の検出結果に応じて、受信手段によって受信された画像の表示方法を変更して表示部に表示するように制御する制御手段と、を有することを特徴とする。【選択図】図２
2019022126.tif 000002
【特許請求の範囲】
【請求項１】
コネクタを介して撮像装置から画像を受信する受信手段と、
前記撮像装置との前記コネクタを介した接続の向きを検出する検出手段と、
前記検出手段の検出結果に応じて、前記受信手段によって受信された画像の表示方法を変更して表示部に表示するように制御する制御手段と
を有することを特徴とする表示装置。
【請求項２】
前記検出手段は、前記コネクタを介して検出された電圧を検出することによって前記接続の向きを検出することを特徴とする請求項１に記載の表示装置。
【請求項３】
前記コネクタは、ダイレクトコネクタであることを特徴とする請求項１または２に記載の表示装置。
【請求項４】
前記制御手段は、前記撮像装置の撮像方向と前記表示部の位置との関係に応じて表示方法を変更することを特徴とする請求項１から３のいずれか１項に記載の表示装置。
【請求項５】
前記制御手段は、前記撮像装置のレンズが存在する側に前記表示部が位置している場合に、前記撮像装置から受信した画像を反転表示するように制御することを特徴とする請求項４に記載の表示装置。
【請求項６】
表示装置の制御方法であって、
コネクタを介して撮像装置から画像を受信する受信ステップと、
前記撮像装置との前記コネクタを介した接続の向きを検出する検出ステップと、
前記検出ステップの検出結果に応じて、前記受信ステップによって受信された画像の表示方法を変更して表示部に表示するように制御する制御ステップと
を有することを特徴とする制御方法。
【請求項７】
コンピュータを、
コネクタを介して撮像装置から画像を受信する受信手段と、
前記撮像装置との前記コネクタを介した接続の向きを検出する検出手段と、
前記検出手段の検出結果に応じて、前記受信手段によって受信された画像の表示方法を変更して表示部に表示するように制御する制御手段
として機能させるためのプログラム。
【発明の詳細な説明】
【技術分野】
【０００１】
本発明は、撮像装置に接続可能な表示装置、その制御方法およびそれらに関するプログラムに関する。
【背景技術】
【０００２】
特許文献１には、撮像装置の撮像方向と表示装置の向きとに応じて、表示画像を変更する方法が記載されている。例えば、図９に示すように、撮像方向と反対方向に画像を表示するように表示装置が向いている場合（撮像装置のユーザと被写体とが別である場合）、図１０に示すように、表示装置には実物と同じ像が表示される（非反転表示される）。一方、図１１に示すように、撮像方向と同一方向に画像を表示するように表示装置が向いている場合（撮像装置のユーザと被写体が同じある自分撮りの場合）、図１２に示すように表示装置には実物と左右反転した像が表示される（鏡像反転表示される）。このように、自分撮りの場合は、表示装置にユーザの姿が鏡に映っているように画像が表示される。
【先行技術文献】
【特許文献】
【０００３】
【特許文献１】特開２０１６−６３２４９号公報
【発明の概要】
【発明が解決しようとする課題】
【０００４】
ところで、撮像装置の中には、撮像装置とは別体の表示装置が接続可能なものがある。表示装置を接続するためのコネクタの構造によっては、表示装置が複数の異なる向きのいずれかで撮像装置に接続されることが想定される。表示装置が複数の異なる向きのいずれかで撮像装置に接続される場合には、表示装置が撮像装置に接続される向きによっては、ユーザにとって見にくい向きに撮像装置からの画像が表示されてしまう可能性が想定される。
【０００５】
そこで、本発明は、表示装置が撮像装置に接続される向きに応じて画像の表示方法を制御できるようにすることを目的としている。
【課題を解決するための手段】
【０００６】
本発明に係る表示装置は、コネクタを介して撮像装置から画像を受信する受信手段と、前記撮像装置との前記コネクタを介した接続の向きを検出する検出手段と、前記検出手段の検出結果に応じて、前記受信手段によって受信された画像の表示方法を変更して前記表示部に表示するように制御する制御手段とを有する。
【０００７】
本発明に係る制御方法は、表示装置の制御方法であって、コネクタを介して撮像装置から画像を受信する受信ステップと、前記撮像装置との前記コネクタを介した接続の向きを検出する検出ステップと、前記検出ステップの検出結果に応じて、前記受信ステップによって受信された画像の表示方法を変更して前記表示部に表示するように制御する制御ステップとを有する。
【０００８】
本発明に係るプログラムは、コンピュータを、コネクタを介して撮像装置から画像を受信する受信手段と、前記撮像装置との前記コネクタを介した接続の向きを検出する検出手段と、前記検出手段の検出結果に応じて、前記受信手段によって受信された画像の表示方法を変更して前記表示部に表示するように制御する制御手段として機能させるためのプログラムである。
【発明の効果】
【０００９】
本発明によれば、表示装置が撮像装置に接続される向きに応じて画像の表示方法を制御することができる。
【図面の簡単な説明】
【００１０】
【図１】実施形態１における撮像装置１０の構成要素を説明するためのブロック図である。
【図２】実施形態１における表示装置２０の構成要素を説明するためのブロック図である。
【図３】撮像装置１０のコネクタの詳細な構造を説明するための図である。
【図４】表示装置２０のコネクタの詳細な構造を説明するための図である。
【図５】撮像装置１０の基板上でのピンの接続関係を説明するための図である。
【図６】表示装置２０の基板上でのピンの接続関係を説明するための図である。
【図７】撮像装置１０の側面にコネクタを配置した状態を説明するための図である。
【図８】表示装置２０の側面にコネクタを配置した状態を説明するための図である。
【図９】自分以外の被写体を撮像している様子を説明するための図である。
【図１０】自分以外の被写体を撮像している場合の撮像画像の例を示す図である。
【図１１】自分撮りを行っている様子を説明するための図である。
【図１２】自分撮りを行っている場合の撮像画像の例を示す図である。
【図１３】表示装置を１８０°回転させた状態を説明するための図である。
【図１４】撮像装置１０におけるコネクタの結線を説明するための図である。
【図１５】表示装置２０におけるコネクタの結線を説明するための図である。
【図１６】表示装置２０の動作例を説明するためのフローチャートである。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１における撮像装置１０の構成要素を説明するためのブロック図であり、図２は、実施形態１における表示装置２０の構成要素を説明するためのブロック図である。
【００１３】
撮像装置１０は、デジタルカメラ、デジタルビデオカメラまたは携帯電話の少なくとも一つとして動作可能な電子機器である。図１に示すように、撮像装置１０は、撮像部１０２、信号処理部１０４、画像処理部１０６、画像送信部１０８、コネクタ１１０および制御部１１２を有する。制御部１１２は、撮像装置１０の各構成要素を制御するためのプログラムを記憶したメモリと、そのメモリに記憶されたプログラムを実行することにより撮像装置１０の各構成要素を制御するプロセッサとを有する。制御部１１２のプロセッサは、例えばハードウェアプロセッサである。撮像部１０２、信号処理部１０４、画像処理部１０６および画像送信部１０８の動作は、制御部１１２によって制御される。
【００１４】
表示装置２０は、複数の異なる向きのいずれかで撮像装置１０に接続可能であり、撮像装置１０で生成された撮像画像（ライブビュー画像）を表示する表示部２０８を有する。図２に示すように、表示装置２０は、コネクタ２０２、画像受信部２０４、画像処理部２０６、表示部２０８、接続方向検出部２１０および制御部２１２を有する。制御部２１２は、表示装置２０の各構成要素を制御するためのプログラムを記憶したメモリと、そのメモリに記憶されたプログラムを実行することにより表示装置２０の各構成要素を制御するプロセッサとを有する。制御部２１２のプロセッサは、例えばハードウェアプロセッサである。コネクタ２０２、画像受信部２０４、画像処理部２０６、表示部２０８、接続方向検出部２１０の動作は、制御部２１２によって制御される。制御部２１２のメモリに記憶されたプログラムは、図１６のフローチャートを参照して説明する動作を制御するためのプログラムを含む。
【００１５】
表示装置２０が撮像装置１０に接続されることにより、表示装置２０は、撮像装置１０で生成された撮像画像（ライブビュー画像）を表示することが可能となる。コネクタ１１０は、撮像装置１０で生成された撮像画像（ライブビュー画像）を出力することができる。また、コネクタ２０２は、撮像装置１０で生成された撮像画像（ライブビュー画像）を入力することができる。
【００１６】
撮像装置１０と表示装置２０とがコネクタ１１０およびコネクタ２０２を介して接続されると、撮像装置１０で生成された撮像画像（ライブビュー画像）が表示部２０８に表示される。例えば、撮像部１０２は、被写体の光学像を撮像して撮像信号を生成する。撮像部１０２で生成された撮像信号は、信号処理部１０４に供給される。信号処理部１０４は、撮像部１０２で生成された撮像信号からデジタル画像（撮像画像に相当）を生成する。信号処理部１０４で生成されたデジタル画像は、画像処理部１０６に供給される。画像処理部１０６は、信号処理部１０４で生成されたデジタル画像から所定の形式の画像データを生成する。画像処理部１０６で生成された画像データは、画像送信部１０８に供給される。画像送信部１０８は、画像処理部１０６で生成された画像データをコネクタ１１０およびコネクタ２０２を介して画像受信部２０４に送信する。画像受信部２０４は、画像送信部１０８から送信された画像データをコネクタ１１０およびコネクタ２０２を介して受信する。画像受信部２０４で受信された画像データは、画像処理部２０６に供給される。画像処理部２０６は、画像受信部２０４で受信された画像データから、表示部２０８で表示可能なデジタル画像（撮像装置１０で生成された撮像画像に相当）を生成する。画像処理部２０６で生成されたデジタル画像は、表示部２０８に供給される。そして、表示部２０８は、画像処理部２０６で生成されたデジタル画像を表示する。これにより、撮像装置１０で生成された撮像画像（ライブビュー画像）が表示部２０８に表示される。
【００１７】
ここで、コネクタ１１０およびコネクタ２０２を説明する。コネクタ１１０は、図３に示すように上下にピンを有する構造となっており、実施形態１では、Ａ１〜Ａ８およびＢ１〜Ｂ８の合計１６ピンを有し、レセプタクルであるものとする。一方、コネクタ２０２は、図４に示すように片側のみにピンを有する構造となっている。
【００１８】
コネクタ１１０とコネクタ２０２との接続方法には２通りの接続方法が存在する。一つ目の接続方法は、コネクタ１１０のＡ１ピンに対してコネクタ２０２のａ１ピンが接続するような接続方法（正方向）である。二つ目の接続方法は、コネクタ１１０のＢ１ピンに対してコネクタ２０２のａ１ピンが接続するような接続方法（上下反転）である。ここで、コネクタ１１０が実装される基板において、図５に示すように、Ａ１ピンはＢ１ピンと、Ａ２ピンはＢ２ピンと、Ａ３ピンはＢ３ピンと、Ａ４ピンはＢ４ピンと、Ａ５ピンはＢ５ピンと、Ａ６ピンはＢ６ピンと、Ａ７ピンはＢ７ピンと、Ａ８ピンはＢ８ピンと結線されている。これにより、どちらの接続方法に関わらず、同一の接続が可能であるものとする。一方、コネクタ２０２は、表示装置２０に設置されたダイレクトコネクタである。
【００１９】
図７は、撮像装置１０の側面にコネクタ１１０が配置された状態を説明するための図である。また、図８（ａ）および図８（ｂ）は、それぞれ表示装置２０の側面にコネクタ２０２が配置された状態を説明するための図である。ここで、撮像装置１０に図８（ａ）に示す向きで表示装置２０が接続されると、Ａ１ピンはａ１ピンと、Ａ２ピンはａ２ピンと、Ａ３ピンはａ３ピンと、Ａ４ピンはａ４ピンと、Ａ５ピンはａ５ピンと、Ａ６ピンはａ６ピンと、Ａ７ピンはａ７ピンと、Ａ８ピンはａ８ピンと接続される。この場合、図９のようにレンズが存在する方向（撮像方向）と表示部とが逆向きに配置されるような接続となる。一方、撮像装置１０に図８（ｂ）に示す向きで表示装置２０が接続されると、Ｂ１ピンはａ１ピンと、Ｂ２ピンはａ２ピンと、Ｂ３ピンはａ３ピンと、Ｂ４ピンはａ４ピンと、Ｂ５ピンはａ５ピンと、Ｂ６ピンはａ６ピンと、Ｂ７ピンはａ７ピンと、Ｂ８ピンはａ８ピンと接続される。この場合、図１１のようにレンズが存在する方向（撮像方向）と表示部とが同じ向きに配置されるような接続となる。
【００２０】
ここで、Ａ１ピンがａ１ピンと、Ａ２ピンがａ２ピンと、Ａ３ピンがａ３ピンと、Ａ４ピンがａ４ピンと、Ａ５ピンがａ５ピンと、Ａ６ピンがａ６ピンと、Ａ７ピンがａ７ピンと、Ａ８ピンがａ８ピンと接続される場合は、ユーザは自分と異なる被写体を撮像するため、図１０のように表示装置２０には実物と同じ像を表示（正方向表示）する必要がある。一方、Ｂ１ピンがａ１ピンと、Ｂ２ピンｇａがａ２ピンと、Ｂ３ピンがａ３ピンと、Ｂ４ピンがａ４ピンと、Ｂ５ピンがａ５ピンと、Ｂ６ピンがａ６ピンと、Ｂ７ピンがａ７ピンと、Ｂ８ピンがａ８ピンと接続される場合は、いわゆる「自分撮り」状態でユーザがユーザ自身を撮像するため、図１２のように表示装置２０には実物を左右反転した像を表示（鏡像反転表示）する必要がある。このように表示部２０８の位置と撮像方向との関係に応じて表示方法を変更する必要がある。
【００２１】
ここで、図１２に示す表示のまま表示装置を１８０°回転させると、図１３に示すような表示となり、図１０に示す表示を上下反転させた表示と同じになる。そこで、Ｂ１ピンがａ１ピンと、・・・Ｂ８ピンがａ８ピンと接続された場合の表示では、正方向表示に対して上下反転させた表示を行えばよいことになる。
【００２２】
ここで、ａ１ピンがＡ１ピンとＢ１ピンとのどちらと接続されているかを検出する方法について、図１４および図１５を参照しながら説明する。図１４は、撮像装置１０におけるコネクタ１１０の結線を説明するための図であり、図１５は、コネクタ２０２の結線を説明するための図である。
【００２３】
図１４に示すように、コネクタ１１０のＡ８ピンおよびＢ８ピンは基板上で互いに接続させず、Ａ８ピンは抵抗Ｒ１を介してプルダウンし、Ｂ８ピンは何も接続しないオープン状態とする。また、図６に比較して、図１５に示すように、コネクタ２０２のａ８ピンは抵抗Ｒ２を介して電圧Ｖでプルアップする構造とする。Ａ１ピンとａ１ピンとが接続するように接続した場合は、ａ８ピンはＡ８ピンと接続するため、接続方向検出部２１０で検出される信号Ｘの電圧はＶ×Ｒ１／（Ｒ１＋Ｒ２）と等しいかそれに近い値になる。一方、Ｂ１ピンとａ１ピンとが接続するように接続した場合は、ａ８ピンはＢ８ピンと接続するため、接続方向検出部２１０で検出される信号Ｘの電圧はＶ×Ｒ１／（Ｒ１＋Ｒ２）よりも大きい値になる。制御部２１２は接続方向検出部２１０で検出された信号Ｘの電圧に応じて、画像処理部２０６に対して画像を正方向表示させるか上下反転表示させるかを決定する。このように、抵抗１個または２個の接続により、表示装置２０が接続される向きを検出することができる。そのため、ユーザが煩雑な操作をすることなく、表示装置２０が撮像装置１０に接続される向きに応じて画像の表示方法を制御することができる。
【００２４】
ここで、実施形態１ではＡ８ピンが抵抗Ｒ１に接続され、Ｂ８ピンがオープンで、またａ８ピンが抵抗Ｒ２に接続されているが、抵抗Ｒ１、Ｒ２、オープンの組み合わせはほかの組み合わせでも構わない。例えば、Ａ１ピンが抵抗Ｒ１に接続され、Ｂ１ピンがオープンで、ａ１ピンは抵抗Ｒ２に接続されるなどの組合せであってもよい。ある方向での接続方法では、抵抗Ｒ１に接続されたピンと抵抗Ｒ２に接続されたピンとが接続され、もう一方の接続方法でオープンのピンと抵抗Ｒ２に接続されたピンとが接続されるのであれば、どのような形態でもよい。
【００２５】
次に、図１６のフローチャートを参照して、表示装置２０の動作例を説明する。なお、以下の説明では、撮像装置１０および表示装置２０は、それぞれ図１４および図１５に示す結線構造を有しており、前述のプルアップ電源による電圧Ｖを３．３Ｖとし、抵抗Ｒ１を１０ｋΩ、抵抗Ｒ２を１０ｋΩとする。ただし、電圧Ｖ、抵抗Ｒ１および抵抗Ｒ２の値は、これらの値に限定されるものではない。
【００２６】
ステップＳ１６０１において、制御部２１２は、表示装置２０がコネクタ２０２を介して撮像装置１０に接続されたか否かを判定する。そして、表示装置２０がコネクタ２０２を介して撮像装置１０に接続されたことを検出すると、ステップＳ１６０２に進む。
【００２７】
ステップＳ１６０２において、制御部２１２は、コネクタ２０２を介して表示装置２０にプルアップ電源の電圧３．３Ｖを供給する。
【００２８】
ステップＳ１６０３において、接続方向検出部２１０は、信号Ｘの電圧を検出し、検出された電圧が２．７Ｖ以上であるか否かを判定する。なお、図１６の処理では閾値を２．７Ｖとしているが、抵抗Ｒ１を介しているか否かを判定できればよいため、判定可能な閾値であればどの閾値であってもよい。検出された信号Ｘの電圧が２．７Ｖ未満である場合はＡ８ピンとａ８ピンとが接続されていることが検出されるため、表示装置２０が図８（ａ）に示す方向で撮像装置１０に接続されていると判定できる。したがってこの場合はステップＳ１６０４に進む。一方、検出された信号Ｘの電圧が２．７Ｖ以上である場合はＢ８ピンとａ８ピンとが接続されていることが検出されるため、表示装置２０が図８（ｂ）に示す方向で撮像装置１０に接続されていると判定できる。したがってこの場合はステップＳ１６０６に進む。
【００２９】
ステップＳ１６０４において、制御部２１２は、図８（ａ）に示す向きで、表示部２０８が撮像方向と反対方向に位置するように表示装置２０が撮像装置１０に接続されていると判定する。
【００３０】
ステップＳ１６０５において、制御部２１２は、画像処理部２０６を制御し、画像受信部２０４が受信した画像を正方向表示させるように表示部２０８に画像を表示させる。
【００３１】
一方、ステップＳ１６０６において、制御部２１２は、図８（ｂ）に示す向きで、表示部２０８が撮像方向と同一方向に接続されていると判定する。そして、ステップＳ１６０７において、制御部２１２は、画像処理部２０６を制御し、画像受信部２０４が受信した画像を上下反転させた画像を生成させ、生成された画像を表示部２０８に表示させる。
【００３２】
以上のように実施形態１によれば、制御部２１２は、接続方向検出部２１０が検出した信号Ｘの電圧に応じて、表示装置２０が撮像装置１０にどのような向きで接続されたかを判定することができる。これにより、ユーザによる特別な操作を不要にして、撮像装置１０から受信した画像を正しい状態で表示部に表示させることができる。
【００３３】
なお、実施形態１では、コネクタ１１０を撮像装置１０の側面に配置し、コネクタ２０２を表示装置２０の側面に配置する例を説明したが、このような構成に限るものではない。例えば、コネクタ１１０を撮像装置１０の上面（または下面）に配置し、コネクタ２０２を表示装置２０の下面（または上面）に配置してもよい。ただし、この場合は、ステップＳ１６０７において、制御部２１２は、画像処理部２０６を制御し、画像受信部２０４が受信した画像を左右反転させた画像を生成させ、生成された画像を表示部２０８に表示させる。
【００３４】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００３５】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００３６】
なお、本発明の実施形態は上述の実施形態１または２に限定されるものではない。発明の要旨を逸脱しない範囲で変更または修正された実施形態１または２も本発明の実施形態に含まれる。
【符号の説明】
【００３７】
２０２  コネクタ
２０４  画像受信部
２０６  画像処理部
２０８  表示部
２１０  接続方向検出部
２１２  制御部
【図１】
2019022126.tif 000003
【図２】
2019022126.tif 000004
【図３】
2019022126.tif 000005
【図４】
2019022126.tif 000006
【図５】
2019022126.tif 000007
【図６】
2019022126.tif 000008
【図７】
2019022126.tif 000009
【図８】
2019022126.tif 000010
【図９】
2019022126.tif 000011
【図１０】
2019022126.tif 000012
【図１１】
2019022126.tif 000013
【図１２】
2019022126.tif 000014
【図１３】
2019022126.tif 000015
【図１４】
2019022126.tif 000016
【図１５】
2019022126.tif 000017
【図１６】
2019022126.tif 000018